(57)【要約】本願は、第１の方向（長さ方向）に沿って係止位置と解放位置との間で移動可能で、係止位置にあるときドアロックを係止可能で、解放位置にあるとき、ドアロックを解放可能な主摺動ブロックと、主摺動ブロックが第１の方向（長さ方向）に沿ってロック位置と解放位置との間で動く際に、第１の方向（長さ方向）に沿って閉位置と開位置との間で移動可能でな誘導摺動ブロックとを備え、ドアロックがロック状態であるのか解除状態であるのかを示すために誘導摺動ブロックの閉位置及び開位置を用いるようにしたドアロックを提供する。本願のドアロックは、ドアロック状態表示装置の出力状態を安定させることができる。
2020524234.tif 000002
【特許請求の範囲】
【請求項１】
ドアロック（１００）において、
第１の方向（長さ方向）に沿って係止位置と解放位置との間で移動可能に設けられ、前記係止位置にあるとき、該ドアロック（１００）を係止可能で、前記解放位置にあるとき、該ドアロック（１００）を解放可能な主摺動ブロック（２０４）と、
前記主摺動ブロック（２０４）が前記第１の方向（長さ方向）に沿って前記係止位置と前記解放位置との間で前後に動く際に、前記第１の方向（長さ方向）に沿って閉位置と開位置との間で移動可能な誘導摺動ブロックとを具備し、
該ドアロック（１００）が係止状態であるのか解除状態であるのかを示すために、前記誘導摺動ブロック（３００）の前記閉位置及び前記開位置を用いることを特徴とするドアロック。
【請求項２】
該ドアロック（１００）は表示装置（７０６）を更に具備しており、
前記表示装置（７０６）は、前記誘導摺動ブロック（３００）の前記閉位置及び前記開位置に応じた表示信号を出力することが可能であり、該表示信号は、該ドアロック（１００）が前記係止状態であるのか前記解除状態であるのかを示すために用いられることを特徴とする請求項１に記載のドアロック（１００）。
【請求項３】
前記誘導摺動ブロック（３００）は、前記第１の方向（長さ方向）に沿って前記閉位置と前記開位置との間で移動可能であり、前記誘導摺動ブロック（３００）は、前記主摺動ブロック（２０４）が前記解放位置から前記係止位置に移動する際に、前記開位置から前記閉位置に移動可能であり、前記誘導摺動ブロック（３００）は、前記主摺動ブロック（２０４）が前記係止位置から前記解放位置に移動する際に、前記閉位置から前記開位置に移動可能であることを特徴とする請求項２に記載のドアロック（１００）。
【請求項４】
前記誘導摺動ブロック（３００）が前記第１の方向（長さ方向）に沿って前後に動く際に、それに応じて第２の方向（上下方向）に沿って移動可能な誘導ラッチ（３６０）を更に具備し、
前記誘導ラッチ（３６０）は前記表示装置（７０６）を始動させるために用いられ、該表示装置（７０６）が前記表示信号を出力することを特徴とする請求項３に記載のドアロック（１００）。
【請求項５】
ドアロック（１００）において、
第１の方向（長さ方向）に沿って係止位置と解放位置との間で移動可能に設けられ、前記係止位置にあるとき、該ドアロック（１００）を係止可能で、前記解放位置にあるとき、該ドアロック（１００）を解除可能な主摺動ブロック（２０４）と、
前記主摺動ブロック（２０４）が前記第１の方向（長さ方向）に沿って前記係止位置と前記解放位置との間で前後に動く際に、前記第１の方向（長さ方向）に沿って移動可能な誘導摺動ブロック（３００）と、
前記誘導摺動ブロック（３００）の上面において移動可能に設けられ、前記誘導摺動ブロック（３００）が前記第１の方向（長さ方向）に沿って前後に動く際に、それに応じて、第２の方向（上下方向）に沿って移動可能な誘導ラッチ（３６０）と、
切換え装置であって、前記誘導ラッチ（３６０）により、閉成または切断可能に設けられた切換え装置とを具備することを特徴とするドアロック（１００）。
【請求項６】
前記誘導摺動ブロック（３００）は、前記主摺動ブロック（２０４）の一方の側に配置され、前記主摺動ブロック（２０４）は、前記誘導摺動ブロック（３００）を閉位置から開位置に移動させることを特徴とする請求項５に記載のドアロック（１００）。
【請求項７】
プッシュアーム（５０２）が、前記主摺動ブロック（２０４）の一方の側に設けられ、前記プッシュアーム（５０２）は、前記誘導摺動ブロック（３００）を前記閉位置から前記開位置に移動させることが可能であることを特徴とする請求項６に記載のドアロック（１００）。
【請求項８】
該ドアロック（１００）が付勢装置（３３６）を更に具備しており、該付勢装置（３３６）が前記誘導摺動ブロック（３００）を押圧して、前記開位置から前記閉位置へ移動させることを特徴とする請求項７に記載のドアロック（１００）。
【請求項９】
前記付勢装置（３３６）がばねであることを特徴とする請求項８に記載のドアロック（１００）。
【請求項１０】
前記誘導摺動ブロック（３００）が段付き部分を有しており、該段付き部分は、結合されて配置された上段（３０３）及び下段（３０４）を含み、
支持面（３４２）及び凹部（３２８）が前記上段（３０３）に設けられ、前記支持面（３４２）は、前記上段（３０３）の遠位端部に設けられ、前記支持面（３４２）は、前記凹部（３２８）よりも高い位置にあり、前記凹部（３２８）の遠位端部が前記支持面（３４２）に結合され、誘導摺動ブロック復帰部（３２７）が前記凹部（３２８）の近位端部において外側面に設けられており、
誘導摺動ブロック解放部（３２３）が前記下段（３０４）の遠位端部において上面に設けられ、制止面（３２６）が前記下段（３０４）の近位端部に設けられ、前記制止面（３２６）は、前記主摺動ブロック（２０４）が前記係止位置から前記解放位置に移動する際に、前記主摺動ブロック（２０４）の移動を制止するために用いられ、
誘導摺動ブロック突出係止爪（３５５）が、前記下段（３０４）の前記遠位端部において外側面から延出することを特徴とする請求項６に記載のドアロック（１００）。
【請求項１１】
前記誘導摺動ブロック復帰部（３２７）は復帰ベベル（３７０）を有し、該復帰ベベル（３７０）は、前記上段（３０３）の前記遠位端部から前記近位端部に向かう方向において内側に傾斜しており、
前記誘導摺動ブロック解放部（３２３）は回転ベベル（３２４）を有し、該回転ベベル（３２４）は、前記下段（３０４）の前記近位端部から前記遠位端部に向かう方向において外側に傾斜していることを特徴とする請求項１０に記載のドアロック（１００）。
【請求項１２】
該ドアロック（１００）はドアロックボックス（１１０）を更に具備し、該ドアロックボックスは誘導摺動ブロック摺動シュート（４０２）を有し、該誘導摺動ブロック摺動シュート（４０２）は内壁（４１４）及び外壁（４１２）を有しており、
ノッチ（４２２）が、前記内壁（４１４）の遠位端部に設けられ、前記誘導摺動ブロック突出係止爪（３５５）を収容するために用いられ、制止面（４２３）が、前記ノッチ（４２２）の遠位端部に設けられ、前記制止面（４２３）は、前記主摺動ブロック（２０４）が前記第１の方向に沿って前記解放位置から前記係止位置に移動する際に、前記誘導摺動ブロック（３００）の移動を制止するために用いられ、
誘導摺動ブロック復帰ベベル（４３７）は前記外壁（４１２）の近位端部に設けられ、前記誘導摺動ブロック復帰部（３２７）と協働して前記誘導摺動ブロック（１２０）を復帰させるために用いられることを特徴とする請求項１０に記載のドアロック（１００）。
【請求項１３】
前記誘導摺動ブロック（３００）は、前記主摺動ブロック（２０４）の一方の側に設けられ、前記主摺動ブロック（２０４）は、前記誘導摺動ブロック（３００）を前記閉位置から前記開位置に移動させることを特徴とする請求項１に記載のドアロック（１００）。
【発明の詳細な説明】
【技術分野】
【０００１】
本願は、電気機器（例えば、洗濯機、食器洗浄機）のドアロックに関する。
【背景技術】
【０００２】
ドアロックは、電気機器（例えば、洗濯機、食器洗浄機）のドアの係止又は解放を制御するために用いることができる。
【０００３】
本願は、電気機器の動作を向上させる新規のドアロック機構を提供する。
【発明の概要】
【発明が解決しようとする課題】
【０００４】
本願は、電気機器の動作を向上させるために、電化製品に使用されるドアロックを提供する。
【課題を解決するための手段】
【０００５】
本願の第１の態様は、ドアロックであって、該ドアロックは、主摺動ブロックであって、該主摺動ブロックは、第１の方向（長さ方向）に沿って係止位置と解放位置との間で前後に動くことが可能であり、該主摺動ブロックは、前記係止位置にあるとき、該ドアロックを係止することが可能であり、該主摺動ブロックは、前記解放位置にあるとき、該ドアロックを解放することが可能である、主摺動ブロックと、誘導摺動ブロックであって、該誘導摺動ブロックは、前記主摺動ブロックが前記第１の方向（長さ方向）に沿って前記係止位置と前記解放位置との間で前後に動く際に、前記第１の方向（長さ方向）に沿って閉位置と開位置との間で前後に動くことが可能である、誘導摺動ブロックとを備え、前記誘導摺動ブロックの前記閉位置及び前記開位置は、該ドアロックが係止状態であるのか解除状態であるのかを示すために用いられ、ドアロックを保護しようとするものである。
【０００６】
本願の第１の態様に係るドアロックは、表示装置であって、該表示装置は、前記誘導摺動ブロックの前記閉位置及び前記開位置に応じた表示信号を出力することが可能であり、前記表示信号は、該ドアロックが前記係止状態であるのか前記解除状態であるのかを示すために用いられる、表示装置を更に備える。
【０００７】
本願の第１の態様におけるドアロックによれば、前記誘導摺動ブロックは、前記第１の方向（長さ方向）に沿って前記閉位置と前記開位置との間で前後に動くことが可能であり、前記誘導摺動ブロックは、前記主摺動ブロックが前記解放位置から前記係止位置に移動する際に、前記開位置から前記閉位置に移動することが可能であり、前記誘導摺動ブロックは、前記主摺動ブロックが前記係止位置から前記解放位置に移動する際に前記閉位置から前記開位置に移動することが可能である。
【０００８】
本願の第１の態様に係るドアロックは、誘導ラッチであって、該誘導ラッチは、前記誘導摺動ブロックが前記第１の方向（長さ方向）に沿って前後に動く際に、それに応じて、第２の方向（上下方向）に沿って前後に動くことが可能である、誘導ラッチを更に備え、前記誘導ラッチは、前記表示装置が前記表示信号を出力するように、前記表示装置を始動させるために用いられる。
【０００９】
本願の第１の態様におけるドアロックによれば、前記誘導摺動ブロックは、前記主摺動ブロックの一方の側に配置され、前記主摺動ブロックは、前記誘導摺動ブロックを前記閉位置から前記開位置に移動させる。
【００１０】
本願の第１の態様におけるドアロックによれば、プッシュアームが、前記主摺動ブロックの一方の側に設けられ、前記プッシュアームは、前記誘導摺動ブロックを前記閉位置から前記開位置に移動させることが可能である。
【００１１】
本願の第１の態様におけるドアロックによれば、該ドアロックは付勢装置を更に備え、該付勢装置は、前記誘導摺動ブロックを押して前記開位置から前記閉位置に移動させる。
【００１２】
本願の第１の態様におけるドアロックによれば、前記付勢装置は、ばねである。
【００１３】
本願の第１の態様におけるドアロックによれば、前記誘導摺動ブロックは、段付き部分を有し、該段付き部分は、つながって配置された上段及び下段を含み、支持面及び凹部が、前記上段に設けられ、前記支持面は、前記上段の遠位端部に設けられ、前記支持面は、前記凹部よりも高い位置にあり、前記凹部の遠位端部は、前記支持面につながっており、誘導摺動ブロック復帰部が、前記凹部の近位端部において外側面に設けられ、誘導摺動ブロック解放部が、前記下段の遠位端部において上面に設けられ、制止面が、前記下段の近位端部に設けられ、前記制止面は、前記主摺動ブロックが前記係止位置から前記解放位置に移動する際に、前記主摺動ブロックの移動を制止するために用いられ、前記誘導摺動ブロック突出係止爪が、前記下段の前記遠位端部において外側面から延出する。
【００１４】
本願の第１の態様におけるドアロックによれば、前記誘導摺動ブロック復帰部は、復帰ベベルを有し、該復帰ベベルは、前記上段の前記遠位端部から前記近位端部に向かう方向において内側に傾斜しており、前記誘導摺動ブロック解放部は、回転ベベルを有し、該回転ベベルは、前記下段の前記近位端部から前記遠位端部に向かう方向において外側に傾斜している。
【００１５】
本願の第１の態様に係るドアロックは、ドアロックボックスであって、該ドアロックボックスは、誘導摺動ブロック摺動シュートを有し、該誘導摺動ブロック摺動シュートは、内壁及び外壁を有する、ドアロックボックスと、前記誘導摺動ブロック突出係止爪を収容するように前記内壁の遠位端部に設けられるノッチであって、制止面が、前記ノッチの遠位端部に設けられ、前記制止面は、前記主摺動ブロックが前記第１の方向に沿って前記解放位置から前記係止位置に移動する際に、前記誘導摺動ブロックの移動を制止するために用いられる、ノッチと、前記外壁の近位端部に設けられ、前記誘導摺動ブロック復帰部と協働して前記誘導摺動ブロックを復帰させる誘導摺動ブロック復帰ベベルとを更に備える。
【００１６】
本願の第１の態様に係るドアロックは、ドアロック状態表示装置の出力状態を安定させることができる。
【００１７】
本願の第２の態様は、ドアロックであって、該ドアロックは、主摺動ブロックであって、該主摺動ブロックは、第１の方向（長さ方向）に沿って係止位置と解放位置との間で前後に動くことが可能であり、該主摺動ブロックは、前記係止位置にあるとき、該ドアロックを係止することが可能であり、該主摺動ブロックは、前記解放位置にあるとき、該ドアロックを解除することが可能である、主摺動ブロックと、誘導摺動ブロックであって、該誘導摺動ブロックは、前記主摺動ブロックが前記第１の方向（長さ方向）に沿って前記係止位置と前記解放位置との間で前後に動く際に、前記第１の方向（長さ方向）に沿って前後に動くことが可能である、誘導摺動ブロックと、誘導ラッチであって、該誘導ラッチは、前記誘導摺動ブロックの上面において前後に動くことが可能であり、該誘導ラッチは、前記誘導摺動ブロックが前記第１の方向（長さ方向）に沿って前後に動く際に、それに応じて、第２の方向（上下方向）に沿って前後に動くことが可能である、誘導ラッチと、切換え装置であって、前記誘導ラッチは、該切換え装置を閉鎖又は接続解除することが可能である、切換え装置とを備える、ドアロックを保護しようとするものである。
【００１８】
本願の第２の態様におけるドアロックによれば、前記誘導摺動ブロックは、前記主摺動ブロックの一方の側に配置され、前記主摺動ブロックは、前記誘導摺動ブロックを閉位置から開位置に移動させる。
【００１９】
本願の第２の態様におけるドアロックによれば、プッシュアームが、前記主摺動ブロックの一方の側に設けられ、前記プッシュアームは、前記誘導摺動ブロックを前記閉位置から前記開位置に移動させることが可能である。
【００２０】
本願の第２の態様におけるドアロックによれば、該ドアロックは付勢装置を更に備え、該付勢装置は、前記誘導摺動ブロックを押して前記開位置から前記閉位置に移動させる。
【００２１】
本願の第２の態様におけるドアロックによれば、前記付勢装置は、ばねである。
【００２２】
本願の第２の態様におけるドアロックによれば、前記誘導摺動ブロックは、段付き部分を有し、該段付き部分は、つながって配置された上段及び下段を含み、支持面及び凹部が、前記上段に設けられ、前記支持面は、前記上段の遠位端部に設けられ、前記支持面は、前記凹部よりも高い位置にあり、前記凹部の遠位端部は、前記支持面につながっており、誘導摺動ブロック復帰部が、前記凹部の近位端部において外側面に設けられ、誘導摺動ブロック解放部が、前記下段の遠位端部において上面に設けられ、制止面が、前記下段の近位端部に設けられ、前記制止面は、前記主摺動ブロックが前記係止位置から前記解放位置に移動する際に、前記主摺動ブロックの移動を制止するために用いられ、前記誘導摺動ブロック突出係止爪が、前記下段の前記遠位端部において外側面から延出する。
【００２３】
本願の第２の態様におけるドアロックによれば、前記誘導摺動ブロック復帰部は、復帰ベベルを有し、該復帰ベベルは、前記上段の前記遠位端部から前記近位端部に向かう方向において内側に傾斜しており、前記誘導摺動ブロック解放部は、回転ベベルを有し、該回転ベベルは、前記下段の前記近位端部から前記遠位端部に向かう方向において外側に傾斜している。
【００２４】
本願の第２の態様に係るドアロックは、ドアロックボックスであって、該ドアロックボックスは、誘導摺動ブロック摺動シュートを有し、該誘導摺動ブロック摺動シュートは、内壁及び外壁を有する、ドアロックボックスと、前記誘導摺動ブロック突出係止爪を収容するように前記内壁の遠位端部に設けられるノッチであって、制止面が、前記ノッチの遠位端部に設けられ、前記制止面は、前記主摺動ブロックが前記第１の方向に沿って前記解放位置から前記係止位置に移動する際に、前記誘導摺動ブロックの移動を制止するために用いられる、ノッチと、前記外壁の近位端部に設けられ、前記誘導摺動ブロック復帰部と協働して前記誘導摺動ブロックを復帰させる誘導摺動ブロック復帰ベベルとを更に備える。
【００２５】
本願の第２の態様におけるドアロックによれば、誘導ラッチは、安定して閉位置又は開位置をとることができ、誘導ラッチが接続解除位置から閉位置に、又は閉位置から接続解除位置に移動するのは、瞬間的なジャンププロセスであり、可動接点と固定接点との接触時の半係合（semi-linkage）又は接触不良の状態が回避される。
【図面の簡単な説明】
【００２６】
【図１Ａ】本願におけるドアロック１００の全体構造を正面側から示す概略図であり、ドアロック１００のいくつかの部品は分解図で示されている。
【図１Ｂ】本願におけるドアロック１００の全体構造を背面側から示す概略図である。
【図２】上蓋１１７を分離し、アクチュエーター１０３を取り去った後の、図１Ａにおけるドアロック１００の構造の概略図である。
【図３Ａ】本発明の誘導摺動ブロック３００の構造立体図である。
【図３Ｂ】本発明の誘導摺動ブロック３００の平面図である。
【図４Ａ】ドアロックボックス１１０内の全ての部品が取り除かれた、図２のドアロックボックス１１０の内部構造の概略図である。
【図４Ｂ】図４Ａの部分４０３の部分拡大図である。
【図５Ａ】ドアロックボックス１１０内における主摺動ブロック２０４及び誘導摺動ブロック３００の設置を示す立体概略図である。
【図５Ｂ】ドアロックボックス１１０内における主摺動ブロック２０４及び誘導摺動ブロック３００の設置を示す概略平面図である。
【図６Ａ】主摺動ブロック２０４及び誘導摺動ブロック３００の組立立体図である。
【図６Ｂ】主摺動ブロック２０４及び誘導摺動ブロック３００の組立分解図である。
【図６Ｃ】主摺動ブロック２０４及び誘導摺動ブロック３００を背面側から示す組立立体図である。
【図６Ｄ】主摺動ブロック２０４及び誘導摺動ブロック３００を背面側から示す組立分解図である。
【図７Ａ】図４Ａ、４Ｂにおける誘導摺動ブロック摺動シュート４０２内の誘導摺動ブロック３００の上に位置する部品の概略構造図である。
【図７Ｂ】図４Ａ、４Ｂにおける誘導摺動ブロック摺動シュート４０２内の誘導摺動ブロック３００の上に位置する部品の概略構造図である。
【図８Ａ】本願のドアロック１００における関連する部品の協働を示す動作プロセスの図である。
【図８Ｂ】本願のドアロック１００における関連する部品の協働を示す動作プロセスの図である。
【図８Ｃ】本願のドアロック１００における関連する部品の協働を示す動作プロセスの図である。
【図８Ｄ】本願のドアロック１００における関連する部品の協働を示す動作プロセスの図である。
【図８Ｅ】本願のドアロック１００における関連する部品の協働を示す動作プロセスの図である。
【図８Ｆ】本願のドアロック１００における関連する部品の協働を示す動作プロセスの図である。
【図８Ｇ】本願のドアロック１００における関連する部品の協働を示す動作プロセスの図である。
【図９】図７Ａ、７Ｂに示されている表示回路７０６の構造の詳細を示す、表示回路７０６の一実施形態の図である。
【発明を実施するための形態】
【００２７】
以下、本明細書の一部をなす添付図面を参照しながら、本願の種々の特定の実施形態を記載する。「正面」、「背面」、「上」、「下」、「左」、「右」、「頭」、「尾」、「近位端」、「遠位端」等の方向を示す用語が、本願の種々の例示的な構造部品及び構成要素を説明するために本願において用いられているが、これらの用語は、本明細書において単に説明を容易にするために用いられているものであり、添付図面に示す例示的な向きに基づいて決定されていることが理解されるべきである。本願に開示されている実施形態は、異なる方向で配置することができるので、方向を示すこれらの用語は、単に説明の役目を果たすものであり、限定とみなされるべきではない。可能な場合、本願において用いられる同じ又は類似の参照符号は、同じ構成要素を示す。
【００２８】
図１Ａは、本願におけるドアロック１００の全体構造を正面側から見た概略図であり、ドアロック１００のいくつかの部品は、分解図で示されている。図１Ｂは、本願におけるドアロック１００の全体構造を背面側から見た概略図である。
【００２９】
図１Ａに示すように、ドアロック１００は、ドアロックボックス１１０を備え、上蓋１１７が、ドアロックボックス１１０の上部に設けられ、ドアロック穴１１２が、ドアフック１０１を収容するために、上蓋１１７の頭部の上に設置されている。ドアフック１０１は、ドアロック穴１１２の上方に位置しており、ドアフック１０１をドアロックボックス１１０の上のドアロック穴１１２からドアロック１００に挿入し、ドアロック１００内のカム２０１（図２を参照）に掛止すると、及びカム２０１が係止されると、電化製品のドアは、これによって、係止可能な位置になる。
【００３０】
図１Ａでは、ドアロック１００は、作動部品１０３と、スイッチボックス１０５とを更に備える。底面１１９が、ドアロック１００の上蓋１１７の頭部の下に設けられ、収容室１１５が、上蓋１１７と底面１１９との間に形成され、作動部品１０３は、収容室１１５内に収容される。作動部品１０３は、電磁駆動部であり、この中にはコイル１２１及び鉄心１２２が設けられ、前端部には接触プローブ１２３が設けられる。作動部品１０３が開始信号を受信すると、コイル１２１の電源が入り、コイル１２１は、電磁的な押力を鉄心１２２にもたらして、接触プローブ１２３を押し出し、電源がオフにされると、接触プローブ１２３は後退する。スイッチボックス１０５は、上蓋１１７の尾部の下に取り付けられる。作動部品１０３の機能は、ドアロック１００内の関連する部品を作動させることであり、一方、スイッチボックス１０５の機能は、主摺動ブロック２０４を係止又は解放することと、ドアロック１００を制御する主回路を接続又は接続解除することとを含む。
【００３１】
図１Ｂに示すように、シャーシ１１４は、上蓋１１７の頭部の下に設けられ、一方、スイッチボックス１０５は、上蓋１１７の尾部の下に設けられる。シャーシ１１４及びスイッチボックス１０５は、上蓋１１７の下の面においてドアロックボックス１１０の幅方向に互いに隣り合って配置される。
【００３２】
図２は、上蓋１１７を分離し、作動部品１０３を取り去った後の、図１Ａにおけるドアロック１００の構造の概略図であり、シャーシ１１４、スイッチボックス１０５、及び主摺動ブロック２０４の構成要素、並びにシャーシ１１４、スイッチボックス１０５、及び主摺動ブロック２０４の間の関係をより詳細に示している。
【００３３】
図２において、シャーシ１１４及びスイッチボックス１０５は、上蓋１１７の下の面においてドアロックボックス１１０の幅方向に並んで配置されている。主摺動ブロック２０４は、上蓋１１７とスイッチボックス１０５との間に配置され、ドアロックボックス１１０の幅方向においてシャーシ１１４及びスイッチボックス１０５にわたって延在する。主摺動ブロック２０４の左端部（遠位端部）は、シャーシ１１４の上の部分をカバーすることができる。主摺動ブロック２０４には、係止穴２１９が設けられる。主摺動ブロック２０４が係止位置にあり、スイッチボックス１０５内の係止ドグ（図示せず）が係止穴２１９から延出する場合に、主摺動ブロック２０４が係止され、したがって、電気ドアも係止される。
【００３４】
図２に示すように、カム２０１がシャーシ１１４上に設けられ、カム２０１は、ドアフック１０１の下に配置されており、カム２０１の本体は、三日月状に湾曲した構造を有するとともに、円弧形状の開放スロット２０２が設けられ、開放スロット２０２の上端部は、フック２０５になっている。ドアフック１０１は、ドアロック穴１１２（図１を参照）に挿入されると、カム２０１を押して回転させ、カム２０１の回転により、フック２０５がドアフック１０１の穴１０２に挿入され、ドアフック１０１に掛止される。開放スロット２０２の下端部２０６は、ドアフック１０１の前端部に接触する。ドアフック１０１が挿入されると、ドアフック１０１の前端部が開放スロット２０２の下端部２０６に押し当たり、それにより、カム２０１が押されて反時計回りに回転する。
【００３５】
カム２０１は、２つの側にある円形シャフト２１２、２１４を介してシャーシ１１４に固定され、したがって、カム２０１は、円形シャフト２１２、２１４の周りに回転することが可能である。トーションばねは、トーションばね２１０．１、２１０．２を含み、トーションばね２１０．１、２１０．２は、それぞれ円形シャフト２１２、２１４を覆い、トーションばね２１０．１、２１０．２は、カム２０１をリセットするための捻り力を与える。ドアフック１０１がカム２０１から引き抜かれると、トーションばね２１０．１、２１０．２は、カム２０１を時計回りに回転させる。また、カムラッチ２１１が、カム２０１の尾部側端部の２つの側において設けられ、カムラッチ２１１は、主摺動ブロック２０４の左端部（遠位端部）に当接する。その間、トーションばね２１０．１、２１０．２は、ドアを開放するための付勢力を与え、すなわち、カム２０１及び主摺動ブロック２０４が解放位置にあるとき、トーションばね２１０がカム２０１からドアフック１０１を押し出す。
【００３６】
図２は、主摺動ブロック２０４の正面側を示している。リセットばね２１３が、主摺動ブロック２０４の右端部（近位端部）に設けられ、カム２０１に対するトーションばね２１０．１、２１０．２の捻り力は、主摺動ブロック２０４に対するリセットばね２１３の弾性力よりも大きい。したがって、カム２０１が時計回りに回転すると、カム２０１は、主摺動ブロック２０４を押して、係止位置から解放位置へと移動させることができる。リセットばね２１３とトーションばね２１０．１、２１０．２との相互作用により、カム２０１が回転すると、主摺動ブロック２０４がそれに伴って前後に動く。特に、リセットばね２１３は、主摺動ブロック２０４がカム２０１のカムラッチ２１１に当接するように予張力を与え、一方、トーションばね２１０．１、２１０．２は、カム２０１が時計回りに回転するように押力を与える。トーションばね２１０．１、２１０．２とリセットばね２１３との相互作用により、カム２０１が時計回り及び反時計回りに回転するときに、カム２０１の後端部と主摺動ブロック２０４とが接触していることで、主摺動ブロック２０４が、対応する往復動を行う。より詳細には、ドアフック１０１がカム２０１に挿入されるとき、カム２０１が反時計回りに回転し、リセットばね２１３の作用によって、主摺動ブロック２０４が解放位置から係止位置に移動する（左に移動する）。ドアフック１０１がカム２０１から引き抜かれるとき、カム２０１が時計回りに回転し、カム２０１のカムラッチ２１１が主摺動ブロック２０４を押し、リセットばね２１３の作用力に打ち勝って、主摺動ブロック２０４が係止位置から解放位置に移動する（右に移動する）。
【００３７】
図３Ａ、３Ｂは、それぞれ、本発明の誘導摺動ブロック３００の構造立体図及び平面図である。図３Ａ、３Ｂに示すように、誘導摺動ブロック３００は、略矩形の構造であり、遠位端部（左端部）３０１と近位端部（右端部）３０２とに分けることができる。誘導摺動ブロック３００の遠位端部は、段付きの形態であり、遠位端部３０１の第１の側（外側）は、上段３０３であり、遠位端部３０１の第２の側（内側）は、下段３０４である。
【００３８】
支持面３４２及び凹部３２８が、上段３０３に設けられ、支持面３４２は、上段３０３の遠位端部（左端部）３５２に設けられる。支持面３４２は、凹部３２８よりも高い位置にあり、凹部３２８の遠位端部（左端部）は、支持面３４２につながっている。誘導摺動ブロック復帰部３２７が、凹部３２８の近位端部（右端部）において外側に設けられ、誘導摺動ブロック復帰部３２７は、復帰ベベル３７０を有し、復帰ベベル３７０は、凹部３２８の近位端方向に向かって内側に傾斜している。誘導摺動ブロック解放部３２３が、下段３０４の上面３２５の遠位端部（左端部）に設けられ、誘導摺動ブロック解放部３２３は、回転ベベル３２４を有し、回転ベベル３２４は、凹部の遠位端部に向かって外側に傾斜している。上段３０３の遠位端部３５２の内側面３５３は、誘導摺動ブロック解放部３２３につながり、誘導摺動ブロック解放部３２３は、内側面３５３において突出している。制止面３２６が、下段３０４の近位端部に設けられ、制止面３２６を用いることにより、主摺動ブロック２０４が係止位置から解放位置に移動する際に、主摺動ブロック２０４によって誘導摺動ブロック３００を動かすことができるようになっている。誘導摺動ブロック突出係止爪３５５が、下段３０４の遠位端部（左端部）において外側面から延出する。貫通穴３３１及び位置合わせマスト３３７が、付勢装置３３６（例えば、ばね）を誘導摺動ブロック３００に取り付けるために、誘導摺動ブロック３００の近位端部（右端部）３０２において尾部に設けられる。
【００３９】
さらに、図３Ａは、誘導ラッチ３６０も示している。誘導ラッチ３６０は、尾部３６１と、頭部３６２と、肩部３６３とを有する。誘導ラッチ３６０の頭部３６２は、上段３０３の支持面３４２及び凹部３２８の表面３８０において摺動可能に支持される。誘導ラッチ３６０は、誘導摺動ブロック３００の長さ方向（第１の方向、すなわち、矢印３５０で示す方向）に沿って動かすことはできないが、誘導ラッチ３６０と誘導摺動ブロック３００との間の相対移動によって、誘導ラッチ３６０を、矢印３５１で示す方向（第２の方向）に沿って上下に動かすことができる。ここで、第２の方向及び第１の方向は、互いに対して垂直である。誘導ラッチ３６０が凹部３２８（閉位置）に位置する場合、誘導ラッチ３６０の尾部３６１は、ドアロック１００内の切換え装置を閉鎖することができる（図７Ａを参照）。誘導ラッチ３６０が支持面３４２（接続解除位置）に位置する場合、誘導ラッチ３６０の尾部３６１は、ドアロック１００内の切換え装置の接続を解除することができる（図７Ｂを参照）。
【００４０】
図４Ａは、ドアロックボックス１１０内の全ての部品が取り除かれた、図２のドアロックボックス１１０の内部構造の概略図である。図４Ａに示すように、ドアロックボックス１１０は、誘導摺動ブロック摺動シュート４０２と、主摺動ブロック摺動シュート４０４とを備える。誘導摺動ブロック摺動シュート４０２は、外壁４１２及び内壁４１４を有し、主摺動ブロック摺動シュート４０４は、外壁４１４（誘導摺動ブロック摺動シュート４０２の内壁４１４と共通の壁）及び外壁４１６を有する。溝４１３が、誘導摺動ブロック摺動シュート４０２の外壁４１２の遠位端部に設けられ、溝４１５が、誘導摺動ブロック摺動シュート４０２の内壁４１４の遠位端部に設けられる。誘導摺動ブロック摺動シュート４０２は、誘導摺動ブロック３００を収容するために用いられ、一方、主摺動ブロック摺動シュート４０４は、主摺動ブロック２０４を収容するために用いられる。ドアロックボックス１１０は、誘導ラッチ３６０が摺動する間の誘導ラッチ３６０の支持を容易にするために、支持フレーム４１８を更に備える。
【００４１】
図４Ｂは、図４Ａの部分４０３の部分拡大図であり、誘導摺動ブロック摺動シュート４０２の構造をより明確に示している。図４Ｂに示すように、溝４１３が、誘導摺動ブロック摺動シュート４０２の外壁４１２の遠位端部に設けられ、溝４１５が、誘導摺動ブロック摺動シュート４０２の内壁４１４の遠位端部に設けられる。誘導摺動ブロック復帰ベベル４３７が、外壁４１２上の溝４１３の遠位端部において内側面の下方に設けられ、誘導摺動ブロック復帰ベベル４３７は、溝４１５の近位端（右端）方向において外側に傾斜している。ノッチ４２２が、内壁４１４上の溝４１５の遠位端部（左側）において外側面の下方に設けられる。制止面４２３が、ノッチ４２２の遠位端部（左端部）に設けられる。
【００４２】
図５Ａは、ドアロックボックス１１０内の主摺動ブロック２０４及び誘導摺動ブロック３００の設置を示す立体概略図であり、図５Ｂは、ドアロックボックス１１０内の主摺動ブロック２０４及び誘導摺動ブロック３００の設置を示す概略平面図である。図５Ａ、５Ｂに示すように、誘導摺動ブロック３００は、誘導摺動ブロック摺動シュート４０２内に取り付けられ、誘導摺動ブロック３００は、誘導摺動ブロック摺動シュート４０２内で前後に摺動することができる。一方、主摺動ブロック２０４は、主摺動ブロック摺動シュート４０４内に取り付けられ、主摺動ブロック２０４は、主摺動ブロック摺動シュート４０４内で前後に摺動することができる。プッシュアーム５０２が、主摺動ブロック２０４の側面に設けられ、プッシュアーム５０２は、誘導摺動ブロック３００の下段３０４の上面３２５に摺動可能に配置され、主摺動ブロック２０４が係止位置から解放位置に移動する際に、誘導摺動ブロック３００を動かす。誘導ラッチ３６０の頭部３６２は、誘導摺動ブロック３００の上に摺動可能に配置され、誘導摺動ブロック３００を、誘導摺動ブロック３００の長さ方向（第１の方向、すなわち、矢印３５０で示す方向）において前後に安定して動かすことができる。
【００４３】
図６Ａ、６Ｂは、主摺動ブロック２０４及び誘導摺動ブロック３００の組立立体図及び組立分解図であり、ここで、図６Ａ、６Ｂは、主摺動ブロック２０４及び誘導摺動ブロック３００を正面側から示す組立立体図及び組立分解図である。図６Ｃ、６Ｄは、主摺動ブロック２０４及び誘導摺動ブロック３００を背面側から示す組立立体図及び組立分解図であり、主摺動ブロック２０４と誘導摺動ブロック３００との間の協働関係及びプッシュアーム５０２の形状の詳細をより明確に示している。図６Ａ〜図６Ｄに示すように、プッシュアーム５０２は、側部６０３及び平坦底部６０５を有する。主摺動ブロック２０４が長さ方向（第１の方向、すなわち、矢印３５０で示す方向）に沿って係止位置から解放位置に移動する場合、側部６０３は、誘導摺動ブロック３００の制止面３２６に押し当たり、誘導摺動ブロック３００を長さ方向（第１の方向）に沿って閉位置から開位置に移動させる。主摺動ブロック２０４が長さ方向（第１の方向）に沿って解放位置から係止位置に移動する場合、ばね３３６による付勢力によって、誘導摺動ブロック３００が開位置から閉位置に移動する。
【００４４】
図６Ａ〜図６Ｄを参照すると、主摺動ブロック２０４のプッシュアーム５０２が解放位置から係止位置に移動し、誘導摺動ブロック３００の回転ベベル３２４を通過するとき、回転ベベル３２４上に生じる分力によって、誘導摺動ブロック３００が或る角度（例えば、２．０度〜２．５度）だけ回転し、それにより、誘導摺動ブロック３００と主摺動ブロック２０４の長さ方向（第１の方向）との間に夾角が形成される（図８Ｃ、８Ｄを参照）。プッシュアーム５０２が係止位置から解放位置に移動するとき、誘導摺動ブロック３００上の復帰ベベル３７０が誘導摺動ブロック摺動シュート４０２上の誘導摺動ブロック復帰ベベル４３７を通過するとき、２つのベベルの相互作用の結果として生じる分力によって、誘導摺動ベベル３００が反対方向に或る角度だけ回転し（２．０度〜２．５度だけ逆向きに回転する）、それにより、誘導摺動ブロック３００は、主摺動ブロック２０４の長さ方向（第１の方向）に対して平行な位置に戻る（図８Ｆ、８Ｇを参照）。
【００４５】
図７Ａ、７Ｂは、図４Ａ、４Ｂにおける誘導摺動ブロック摺動シュート４０２内の誘導摺動ブロック３００の上に位置する部品を示し、誘導ラッチ３６０により切換え装置を閉鎖及び接続解除する様子を示している。図７Ａ、７Ｂに示すように、切換え装置は、可動ばね部片７０２と、可動ばね部片７０２上に配置された可動接点７０３と、固定導体棒７０４とを備える。図７Ａに示すように、誘導ラッチ３６０が或る特定の距離だけ下方に移動すると、誘導ラッチ３６０の尾部３６１が可動ばね部片７０２を解放し、それにより、可動接点７０３が固定導体棒７０４に接触して、電源回路に接続する。図７Ｂに示すように、誘導ラッチ３６０が或る特定の距離だけ上方に移動すると、誘導ラッチ３６０の尾部３６１は、可動ばね部片７０２を持ち上げ（props up）、それにより、可動接点７０３は、固定導体棒７０４から離れ、電源回路の接続が解除される。
【００４６】
図７Ａ、７Ｂに示すように、表示装置７０６の入力部７０５が、固定導体棒７０４に電気的に接続している。電源回路が接続されると、表示装置７０６は、第１の状態信号（例えば、高レベル又は低レベル）を出力し、ドアロック１００が係止状態であることを示す。電源回路の接続が解除されると、表示装置７０６は、第２の状態信号（例えば、低レベル又は高レベル）を出力し、ドアロック１００が解除状態であることを示す。
【００４７】
図８Ａ〜図８Ｇは、本願のドアロック１００内の関連する部品の協働を示す動作プロセスの図を示している。ここで、図８Ａ〜図８Ｄは、ドアロック１００が開状態から閉状態になるプロセスを示し、図８Ｅ〜図８Ｇは、ドアロック１００が閉状態から開状態になるプロセスを示している。
【００４８】
図８Ａに示すように、ドアロック１００は、この時点では開状態である。主摺動ブロック２０４は、最左位置（すなわち解放位置）にあり、主摺動ブロック２０４上のプッシュアーム５０２の側部６０３は、制止面３２６に押し当たっている。事前に、ドアフック１０１がカム２０１から引き抜かれるプロセスにおいて、プッシュアーム５０２は、誘導摺動ブロック３００を押して圧縮ばね３３６を左側に動かし、弾性位置エネルギーを蓄え、誘導摺動ブロック３００を最左端に押す。この時点では、誘導摺動ブロック３００は、主摺動ブロック２０４によって最左側に制止され、動くことができない。誘導ラッチ３６０の頭部３６２は、誘導摺動ブロック３００の支持面３４２上にあり、誘導ラッチ３６０の尾部３６１は、可動ばね部片７０２を持ち上げる。それにより、可動接点７０３が固定導体棒７０４から離れ、電源回路の接続が解除され、したがって、表示装置７０６は、第２の状態信号（低レベル又は高レベル）を出力する。この時点では、主摺動ブロック２０４は、解放位置にあり、誘導摺動ブロック３００は、開位置にあり、ドアロック１００は、開状態にある。
【００４９】
図８Ｂに示すように、ドアフック１０１がカム２０１に入る際、ドアロック１００は閉鎖を開始する。主摺動ブロック２０４は、解放位置から右側の係止位置に移動する。ばね３３６の弾性力は、誘導摺動ブロック突出係止爪３５５が誘導摺動ブロック摺動シュート４０２内の制止面４２３によって制止されるまで、誘導摺動ブロック３００が主摺動ブロック３００とともに右に移動することを補助する。この時点では、誘導摺動ブロック３００は、一時的に動くことができない。この時点では、誘導ラッチ３６０の頭部３６２は、誘導摺動ブロック３００の支持面３４２上に依然としてあり、誘導ラッチ３６０の尾部３６１は、可動ばね部片７０２を持ち上げる。それにより、可動接点７０３が固定導体棒７０４から離れ、電源回路の接続が解除され、したがって、表示装置７０６は、第２の状態信号を保つ。この時点では、主摺動ブロック２０４は、解放位置を離れて係止位置に移動するが、誘導摺動ブロック３００は、開位置にあるままである。
【００５０】
図８Ｃに示すように、主摺動ブロック２０４は、右側に移動を続け、プッシュアーム５０２の右側が誘導摺動ブロック３００上の回転ベベル３２４に接触する。プッシュアーム５０２の連続的な移動により、誘導摺動ブロック３００を押して下方に移動させる分力が生じ、これにより、誘導摺動ブロック３００の遠位端部（右端部）が押されて下方に回転する。この時点では、誘導摺動ブロック３００上の誘導摺動ブロック突出係止爪３５５は、依然として誘導摺動ブロック摺動シュート４０２内の制止面４２３によって制止され、したがって、誘導摺動ブロック３００はまだ動くことができない。この時点では、誘導ラッチ３６０の頭部３６２は、誘導摺動ブロック３００の支持面３４２上に依然としてあり、誘導ラッチ３６０の尾部３６１は、可動ばね部片７０２を持ち上げる。それにより、可動接点が固定導体棒７０４から離れ、電源回路の接続が解除され、したがって、表示装置７０６は、第２の状態信号を保つ。この時点では、主摺動ブロック２０４は、係止位置に移動するが、誘導摺動ブロック３００は、開位置にあるままである。
【００５１】
図８Ｄに示すように、主摺動ブロック２０４は、右側に移動を続け、プッシュアーム５０２の右側が誘導摺動ブロック３００上の回転ベベル３２４の中央又は上を通過する。プッシュアーム５０２は、誘導摺動ブロック３００の遠位端部（右端部）を、下方に引き続き回転するように押す。誘導摺動ブロック５０２の遠位端部が或る特定の角度（例えば２．０度〜２．５度）だけ下方に回転すると、誘導摺動ブロック突出係止爪３５５がノッチ４２２から押し出される。この時点で、誘導摺動ブロック３００は、誘導摺動ブロック摺動シュート４０２内の制止面４２３によって制止されなくなるので、動くことが可能になり、ばね３３６の弾性力によって、誘導摺動ブロック３００が誘導摺動ブロック摺動シュート４０２の遠位端部（右端部）の終端まで瞬時に押し出される。同時に、誘導ラッチ３６０が、支持面３４２から凹部３２８に瞬時に移動し、誘導ラッチ３６０の尾部３６１は、瞬時に下方に移動して可動ばね部片７０２から離れ、可動接点７０３が固定導体棒７０４に接触して、電源回路が瞬時に閉じる。それにより、表示装置７０６によって出力される第２の状態信号は、第１の状態信号に変化する。この時点では、主摺動ブロック２０４は、係止位置にあり、誘導摺動ブロック３００は、閉位置にあり、ドアロック１００は、閉状態にある。
【００５２】
図８Ｅに示すように、ドアフック１０１は、カム２０１から引き抜かれ始め、ドアロック１００が開放を開始し、主摺動ブロック２０４は、係止位置から左側に移動し、プッシュアーム５０２の側部６０３が制止面３２６を押し、誘導摺動ブロック３００を左側に移動させ、ばね３３６を左側に圧縮して、弾性位置エネルギーを蓄える。誘導ラッチ３６０の頭部３６２が誘導摺動ブロック３００の凹部３２８内に依然としてあり、誘導ラッチ３６０の尾部３６１が可動ばね部片７０２に接触しないことにより、可動接点７０３は、固定導体棒７０４に接触し、電源回路を閉じる。それにより、表示装置７０６は、第１の状態信号を出力し維持する。この時点では、主摺動ブロック２０４は、係止位置から解放位置に移動するが、誘導摺動ブロック３００は、依然として閉位置にある。
【００５３】
図８Ｆに示すように、主摺動ブロック２０４は、引き続きばね３３６を圧縮して左側に動かし、誘導摺動ブロック３００上の復帰ベベル３７０及び誘導摺動ブロック摺動シュート４０２上の誘導摺動ブロック復帰ベベル４３７が接触を開始して、誘導摺動ブロック３００を押して上方に偏向する力をもたらす。それにより、誘導摺動ブロック３００は、上方に回転し始め、誘導摺動ブロック３００上の誘導摺動ブロック突出係止爪３５５は、誘導摺動ブロック摺動シュート４０２のノッチ４２２に徐々に入る。誘導ラッチ３６０の頭部３６２が誘導摺動ブロック３００の支持面３４２に移動することにより、誘導ラッチ３６０は、上方に移動し、誘導ラッチ３６０の尾部３６１は、可動ばね部片７０２を持ち上げ、可動接点７０３は、固定導体棒７０４から離れ、電源回路の接続が解除される。それにより、表示装置７０６によって出力される第１の状態信号が、第２の状態信号に変化する。この時点では、主摺動ブロック２０４は、係止位置から解放位置に移動し、誘導摺動ブロック３００は、開位置にある。
【００５４】
図８Ｇに示すように、主摺動ブロック２０４は、左側に移動を続け、ばね３３６を更に圧縮する。誘導摺動ブロック３００上の復帰ベベル３７０は、誘導摺動ブロック摺動シュート４０２上の誘導摺動ブロック復帰ベベル４３７の中央又は上を通過し、それにより、誘導摺動ブロック３００が上方に回転を開始する。誘導摺動ブロック３００が或る特定の角度（２．０度〜２．５度）だけ上方に移動する場合、誘導摺動ブロック３００は、主摺動ブロック２０４に対して平行な位置に復帰し、誘導摺動ブロック３００上の誘導摺動ブロック突出係止爪３５５は、誘導摺動ブロック摺動シュート４０２のノッチ４２２に入る。誘導ラッチ３６０の頭部３６２は、誘導摺動ブロック３００の支持面３４２の上の中央（又は中央付近）に移動するため、誘導ラッチ３６０の尾部３６１は、可動ばね部片７０２を持ち上げ、可動接点７０３が固定導体棒７０４から離れ、電源回路の接続が解除される。それにより、表示装置７０６は、第２の状態信号を出力し維持する。この時点では、主摺動ブロック２０４は、係止位置から解放位置に移動し、誘導摺動ブロック３００は、開位置にあり、ドアロック１００は、開状態にある（図８Ａに示す状態）。
【００５５】
係止位置及び解放位置は、主摺動ブロック２０４に関するものであり、開位置及び閉位置は、誘導摺動ブロック３００に関するものであり、開状態及び閉状態は、ドアロック１００に関するものであることに留意すべきである。
【００５６】
図９は、図７Ａ、７Ｂに示されている表示回路７０６の構造の詳細を示す、表示回路７０６の一実施形態である。図９に示すように、表示回路７０６は、フリップフロップ回路９０２と、入力抵抗器９０４と、サンプリング抵抗器９０５とを備える。フリップフロップ回路９０２の信号サンプリング入力端９０３は、入力抵抗器９０４を介して接地に電気的に接続される。また、フリップフロップ回路９０２の信号入力端９０３は、サンプリング抵抗器９０５を介して、図７に示されている固定導体棒７０４に電気的に接続される。可動接点７０３が固定導体棒７０４に接続されると、入力抵抗器９０４において電圧信号が生成され、それにより、フリップフロップ回路９０２の出力端７０８が第１の状態信号（高レベル又は低レベル）に設定される。可動接点７０３が固定導体棒７０４に接続されていない場合、入力抵抗器９０４において電圧信号は生成されず、フリップフロップ回路９０２の出力端７０８は、第２の状態信号（低レベル又は高レベル）に設定される。図９において、入力抵抗器９０４及びサンプリング抵抗器９０５の選択により、２つの抵抗器における部分電流が電化製品の主回路の動作に影響を与えないように、２つの抵抗器を流れる電流を小さくすべきである。
【００５７】
電化製品の現行のドアロックには、ドアロックが係止状態であるのか開状態であるのかを示すドアロック状態表示装置が設けられる。また、ドアロック状態表示装置の出力は、電化製品（例えば、洗濯機）の動作を制御するために用いられる。電化製品の現行のドアロックには、ドアロックが開状態にある場合に電源への接続を解除し、ドアロックが閉状態にある場合に電源に接続するための切換え装置も設けられる。上記の２つの機能を達成するために、電化製品の現行のドアロックは、摺動ブロックを採用し、摺動ブロック上にベベルを設ける。ベベルは、２つの側において異なる高さの位置を有し、駆動ラッチが、摺動ブロックのベベルに摺動可能に配置される。したがって、水平方向における摺動ブロックの移動により、駆動ラッチを上下に動かすことができ、駆動ラッチのこの上下動により、接点が上下に動き、それにより、切換え装置の可動接点及び固定接点が接触及び分離して、電化製品の電源を閉鎖又は接続解除する。同時に、切換え装置の状態変化により、ドアロック状態表示装置が駆動され、ドアロック状態を示す信号を出力する。この構造にはいくつかの問題点が存在する。第１に、電化製品の動作が原因で生じる振動により、摺動ブロックが僅かな振動又は小さな移動を引き起こし、それに応じて、摺動ブロックが引き起こす僅かな振動又は小さな移動が、ベベルを介して駆動ラッチに直接伝達され、駆動ラッチを上下に振動させる。同時に、駆動ラッチの上下振動は、可動接点及び固定接点の半接触状態を引き起こし、ドアロック状態表示装置の出力信号の状態も不安定になる。第２に、摺動ブロック上のベベルを用いて駆動ラッチを移動させる速度は、使用者がドアを開放する速度に関係するため、切換え装置が開位置から閉位置に移動するプロセスは、連続的かつ比較的低速となる場合があり、このプロセスでは、可動接点及び固定接点の半接触状態が容易に出現し、接触不良をもたらす。
【００５８】
図８Ａ〜図８Ｄに示されている、ドアロック１００が開状態から閉状態になるプロセスにおいて、主摺動ブロック２０４は、解放位置から係止位置に移動し、誘導摺動ブロック３００を開位置から移動させ、閉位置へと瞬時にジャンプさせる。誘導ラッチ３６０は、接続解除位置から閉位置へと瞬時にジャンプし、可動接点７０３は、固定導体棒７０４に瞬時に接続される。さらに、このプロセスでは、主摺動ブロック２０４が或る特定の距離を移動すると、ばね３３６の弾性により、誘導摺動ブロック３００が開位置から閉位置に瞬時にジャンプし、ばね３３６の弾性位置エネルギーを解放する。図８Ｅ〜図８Ｇに示すように、ドアロックが閉状態から開状態になるプロセスにおいて、主摺動ブロック２０４は、まず、或る特定の距離を移動し、そして、誘導摺動ブロック３００を閉位置から開位置へと押す。すなわち、上述の２つのプロセスでは、主摺動ブロック２０４の予備移動は、遊動（idle movement）であり、誘導摺動ブロック３００の開位置又は閉位置に変化をもたらさない。したがって、電化製品の動作のプロセスにおいて、電化製品の動作が引き起こす振動又は小さな移動によって、主摺動ブロック２０４の小さな移動又は振動が生じても、主摺動ブロック２０４が起こす動きは、単なる遊動であるので、誘導摺動ブロック３００の移動は引き起こさない。したがって、ドアロック１００が閉状態又は開状態のいずれにあるかに関わらず、電化製品の動作によって生じる振動又は小さな移動によって、主摺動ブロック２０４の小さな移動又は振動が引き起こされても、主摺動ブロック２０４の小さな移動又は振動は、誘導摺動ブロック３００の移動をもたらさない。したがって、電化製品の動作のプロセスにおいて、誘導ラッチ３６０は、安定して閉位置又は開位置をとることができ、主摺動ブロック２０４の小さな移動又は振動に起因して接触不良が起こる現象は見られない。さらに、誘導摺動ブロック３００が開位置から閉位置に移動するプロセスは、瞬間的なプロセスであるため、誘導ラッチ３６０が接続解除位置から閉位置に移動するプロセスは、瞬間的なプロセスとなり、可動接点及び固定接点の場合の半係合又は接触不良の状態は引き起こされない。さらに、ドアロック状態表示装置７０６の出力状態も安定し、出力状態が、主摺動ブロック２０４の小さな振動により不安定になることがない。
【００５９】
本明細書では、本願のいくつかの特徴のみが例示及び記載されているが、当業者であれば、種々の改良及び変更を行うことができる。したがって、添付の特許請求の範囲は、本願の実質的な趣旨範囲に入る上述の改良及び変更の全てを包含するように意図されることが理解されるべきである。
【符号の説明】
【００６０】
１００    ドアロック
１０１    ドアフック
１０２    穴
１０３    作動部品
１０５    スイッチボックス
１１０    ドアロックボックス
１１２    ドアロック穴
１１４    シャーシ
１１５    収容室
１１７    上蓋
１１９    底面
１２１    コイル
１２２    鉄心
１２３    接触プローブ
２０１    カム
２０２    開放スロット
２０４    主摺動ブロック
２０５    フック
２０６    下端部
２１１    カムラッチ
２１２    円形シャフト
２１４    円形シャフト
２１９    係止穴
３００    誘導摺動ブロック
３０１    遠位端部
３０２    近位端部
３０３    上段
３０４    下段
３２３    誘導摺動ブロック解放部
３２４    回転ベベル
３２５    上面
３２６    制止面
３２７    誘導摺動ブロック復帰部
３２８    凹部
３３１    貫通穴
３３６    付勢装置
３３７    マスト
３４２    支持面
３５０    矢印
３５１    矢印
３５２    遠位端部
３５３    内側面
３５５    誘導摺動ブロック突出係止爪
３６０    誘導ラッチ
３６１    尾部
３６２    頭部
３６３    肩部
３７０    復帰ベベル
３８０    表面
４０２    誘導摺動ブロック摺動シュート
４０３    部分
４０４    主摺動ブロック摺動シュート
４１２    外壁
４１３    溝
４１４    内壁
４１５    溝
４１６    外壁
４１８    支持フレーム
４２２    ノッチ
４２３    制止面
４３７    誘導摺動ブロック復帰ベベル
５０２    プッシュアーム
６０３    側部
６０５    平坦底部
７０２    部片
７０３    可動接点
７０４    固定導体棒
７０５    入力部
７０６    表示装置
７０８    出力端
９０２    フリップフロップ回路
９０３    信号入力端
９０４    入力抵抗器
９０５    サンプリング抵抗器
【図１Ａ】
2020524234.tif 000003
【図１Ｂ】
2020524234.tif 000004
【図２】
2020524234.tif 000005
【図３Ａ】
2020524234.tif 000006
【図３Ｂ】
2020524234.tif 000007
【図４Ａ】
2020524234.tif 000008
【図４Ｂ】
2020524234.tif 000009
【図５Ａ】
2020524234.tif 000010
【図５Ｂ】
2020524234.tif 000011
【図６Ａ】
2020524234.tif 000012
【図６Ｂ】
2020524234.tif 000013
【図６Ｃ】
2020524234.tif 000014
【図６Ｄ】
2020524234.tif 000015
【図７Ａ】
2020524234.tif 000016
【図７Ｂ】
2020524234.tif 000017
【図８Ａ】
2020524234.tif 000018
【図８Ｂ】
2020524234.tif 000019
【図８Ｃ】
2020524234.tif 000020
【図８Ｄ】
2020524234.tif 000021
【図８Ｅ】
2020524234.tif 000022
【図８Ｆ】
2020524234.tif 000023
【図８Ｇ】
2020524234.tif 000024
【図９】
2020524234.tif 000025
【国際調査報告】
2020524234.tif 000026
2020524234.tif 000027